(57)【要約】  【課題】セキュアデバイスが有している複数のカード機能を容易に識別できる形態で表示する携帯通信端末とセキュアデバイスとを提供する。  【解決手段】複数のカードアプリ３５が格納されたセキュアデバイス３０に、このセキュアデバイス３０が保持されている携帯通信端末２０に提示する提示用データの格納手段３２，３３、３４を設け、カードアプリ３５が、携帯通信端末２０への提示を求めるデータを格納手段３２，３３、３４に登録するように構成している。カードアプリ３５は、格納手段３４にデータを登録するだけで、携帯通信端末２０からのアクセスを受けずに、それ故に安全に、そのデータを携帯通信端末２０に提示することができる。一方、携帯通信端末２０は、個々のカードアプリ３５へのアクセス方法や認証方法を知らなくても、各カードアプリ３５が提示しようとするデータを効率的に取得することができる。  【選択図】図１
2005346611.tif 000002
【特許請求の範囲】
【請求項１】
１または複数のカードアプリケーションが格納されたセキュアデバイスであって、当該セキュアデバイスが保持されている装置に提示する提示用データの格納手段を備え、前記カードアプリケーションが、前記装置への提示を求めるデータを前記格納手段に登録することを特徴とするセキュアデバイス。
【請求項２】
前記格納手段に、カードの券面を表す画像データが登録されていることを特徴とする請求項１に記載のセキュアデバイス。
【請求項３】
前記格納手段に、カードの券面を表す画像データとともに、音声データが登録されていることを特徴とする請求項１に記載のセキュアデバイス。
【請求項４】
前記格納手段に、カードの券面を表す画像データとともに、前記装置の発光手段の点灯指示データが登録されていることを特徴とする請求項１に記載のセキュアデバイス。
【請求項５】
前記格納手段に、カードの券面を表す画像データとともに、前記装置の振動表示手段の動作指示データが登録されていることを特徴とする請求項１に記載のセキュアデバイス。
【請求項６】
前記格納手段が、前記カードアプリケーションに対する共通のインタフェースを具備していることを特徴とする請求項１に記載のセキュアデバイス。
【請求項７】
前記格納手段は、カードアプリケーションが登録したデータへの他のカードアプリケーションのアクセスを禁止することを特徴とする請求項６に記載のセキュアデバイス。
【請求項８】
請求項１から請求項７のいずれかに記載のセキュアデバイスを保持する情報処理装置であって、
表示指示を受け付ける表示指示受付手段と、
前記セキュアデバイスの提示用データの格納手段に登録された券面データを読み出すデータ読み出し手段と、
券面データを用いて券面の画像を表示する表示手段と、
前記表示指示受付手段が表示指示を受け付けたとき、前記データ読み出し手段にセキュアデバイスの格納手段からの券面データの読み出しを指示し、前記データ読み出し手段が読み出した前記券面データを前記表示手段に送って券面の画像を表示させる制御手段と
を備えることを特徴とする情報処理装置。
【請求項９】
前記制御手段は、前記表示指示受付手段が前の表示指示を受け付けてから規定時間内に次の表示指示を受け付けたとき、前記データ読み出し手段に、次に読み出す券面データを指定することを特徴とする請求項８に記載の情報処理装置。
【発明の詳細な説明】
【技術分野】
【０００１】
本発明は、複数のカード機能を有するＩＣカードなどのセキュアデバイスと、このセキュアデバイスを保持した状態でセキュアデバイスのカード機能を使用する携帯電話やＰＤＡ等の情報処理装置に関し、カードに格納されたアプリの閲覧及び選択を容易にするものである。
【背景技術】
【０００２】
現代社会は、カード社会と言われ、クレジットカードやキャッシュカード、ポイントカード、定期券、ＩＣテレフォンカード等、各種のＩＣカードが広く普及しており、何枚ものカードを所持している人が少なくない。
これらのカードの券面には、そのカード特有の意匠が施されており、その券面を見るだけでカードの種類が分かる。
【０００３】
ＩＣカードの情報は、リーダ・ライタで読み取られる。ＩＣカードには、リーダ・ライタとの情報交換を非接触通信で行うものと、接触通信で行うものとが有り、下記特許文献１には、接触通信及び非接触通信の両方が可能なＩＣカードを携帯通信端末に装着し、ＩＣカードと外部装置との間では非接触通信で記録情報の読み書きを行い、また、ＩＣカードと携帯通信端末との間では接触通信でそれを行う構成が記載されている（ただし、端末に装着されたり内蔵されたりする場合、ＩＣカードはワンチップ化して構成される。以下では、ＩＣカード及びＩＣチップを総称して単に「ＩＣカード」と呼ぶことにする）。
【０００４】
また、近年、一枚のＩＣカードに複数のカードアプリケーション（以下、「アプリケーション」を「アプリ」と略称する）を搭載して、例えば、キャッシュカードにも、定期券にも利用できる多機能型のカード（マルチアプリＩＣカード）が開発されている。ユーザは、このマルチアプリＩＣカードがあれば、何枚ものカードを持ち歩く必要が無くなる。
マルチアプリＩＣカードの出現により、マルチアプリＩＣカードを装着した携帯通信端末を駅の改札機に翳して、マルチアプリＩＣカードの定期券機能を使用し、また、この携帯通信端末をＰＯＳ端末や自動販売機に翳して、購入商品の電子決済をマルチアプリＩＣカードで済ませるなど、携帯通信端末を財布代わりに使う生活様式が定着していくものと見られている。
【特許文献１】特開２００２−３４５０３７号公報
【発明の開示】
【発明が解決しようとする課題】
【０００５】
しかし、通常のカードは、手の上で、あるいは財布内で、その複数枚を広げれば、利用可能なサービスが、それらの券面から一目で分かるが、マルチアプリＩＣカードの場合は、カードの実体が一つであり、券面も一つであるため、その券面を一瞥しただけでは、内部にどんなサービス機能が格納され、どのようなサービスが利用可能であるかが分かりにくい、と言う不便がある。
【０００６】
マルチアプリＩＣカードを携帯通信端末に装着する場合は、例えば図１０に示すように、マルチアプリＩＣカードのサービスメニューを携帯通信端末の表示画面に表示する方式が考えられるが、文字による表示方式では、画面の表示からサービス内容を瞬時に理解することが難しい。また、アプリ毎に認証方式が異なるため端末側から各アプリにアクセスして、上記サービスメニューを構成する情報を取得することは困難である。
【０００７】
本発明は、こうした従来の問題点を解決するものであり、ＩＣカード等のセキュアデバイスが有している複数のカード機能を容易に識別できる形態で表示する携帯通信端末等の情報処理装置を提供し、また、その表示を可能にするセキュアデバイスを提供することを目的としている。
【課題を解決するための手段】
【０００８】
そこで、本発明では、１または複数のカードアプリが格納されたセキュアデバイスに、当該セキュアデバイスが保持されている装置に提示する提示用データの格納手段を設け、カードアプリが、この装置への提示を求めるデータを格納手段に登録するように構成している。
そのため、カードアプリは、提示用データの格納手段にデータを登録するだけで、装置からのアクセスを受けずに、それ故に安全に、そのデータを装置に提示することができる。一方、装置は、個々のカードアプリへのアクセス方法や認証方法を知らなくても、各カードアプリが提示しようとするデータを効率的に取得することができる。
【０００９】
また、本発明のセキュアデバイスでは、この格納手段に、カードの券面を表す画像データが登録され、あるいは、カードの券面を表す画像データとともに、音声データや装置の発光手段の点灯指示データ、装置の振動表示手段の動作指示データなどが登録される。
そのため、セキュアデバイスに格納されたアプリを多様な形態でアピールすることができる。
【００１０】
また、本発明のセキュアデバイスでは、この格納手段が、カードアプリに対する共通のインタフェースを具備している。
そのため、各カードアプリは、この格納手段に任意のタイミングでデータを登録することができる。
【００１１】
また、本発明のセキュアデバイスの格納手段は、カードアプリが登録したデータへの他のカードアプリのアクセスを禁止する。
そのため、登録したデータの安全性は保たれる。
【００１２】
また、本発明では、このセキュアデバイスを保持する情報処理装置に、表示指示を受け付ける表示指示受付手段と、セキュアデバイスの提示用データの格納手段に登録された券面データを読み出すデータ読み出し手段と、券面データを用いて券面の画像を表示する表示手段と、表示指示受付手段が表示指示を受け付けたとき、データ読み出し手段にセキュアデバイスの格納手段からの券面データの読み出しを指示し、データ読み出し手段が読み出した券面データを表示手段に送って券面の画像を表示させる制御手段とを設けている。
そのため、この情報処理装置では、セキュアデバイスに含まれるカード機能を、券面を表示して、分かり易く伝えることができる。
【００１３】
また、本発明の情報処理装置の制御手段は、表示指示受付手段が前の表示指示を受け付けてから規定時間内に次の表示指示を受け付けたとき、データ読み出し手段に、次に読み出す券面データを指定する。
そのため、ユーザが表示指示操作を繰り返すことにより、セキュアデバイスに格納されたアプリを表す複数の券面が順次表示される。
【発明の効果】
【００１４】
本発明のセキュアデバイスは、ユーザへの提示を希望するデータだけを、情報処理装置を通じて表示することができ、この提示に際し、カードアプリの安全性は確保される。
また、本発明の情報処理装置は、個々のカードアプリへのアクセス方法や認証方法を知らなくても、各カードアプリが提示しようとするデータを効率的に取得して、表示することができる。
また、この情報処理装置は、セキュアデバイスに含まれるカード機能を多様な形態で分かり易く表示することができる。
【発明を実施するための最良の形態】
【００１５】
本発明の実施形態として、マルチアプリＩＣカードを携帯通信端末に装着する場合について説明する。この携帯通信端末は、図２に示すように、携帯通信端末２０に装着されたマルチアプリＩＣカードのサービス内容を、券面３１を用いて表示画面２１に順次表示する。
この券面３１は、単独のカードの券面意匠を表しており、ユーザは、その券面を見るだけでカードの種類が分かる。携帯通信端末２０に表示される券面３１は、ユーザが携帯通信端末２０を操作することによって次々と変わり、マルチアプリＩＣカードに格納されているサービスに対応する券面３１が順次表示される。
【００１６】
図１は、この携帯通信端末２０と、携帯通信端末２０で保持されたマルチアプリＩＣカード３０との券面表示に関係する構成を示している。マルチアプリＩＣカード３０は、カード機能を実行する複数のＩＣカードアプリ３５と、各ＩＣカードアプリ３５から書き込み要求された券面データ等のデータを登録するカード内アプリ情報管理カードアプリ３２と、このデータが格納される書き込み領域３４と、カード内アプリ情報管理カードアプリ３２が書き込み領域３４の管理に用いる書き込み領域管理テーブル３３とを備えている。
一方、携帯通信端末２０は、ユーザの表示指示の操作を受け付ける表示指示受付手段２３と、マルチアプリＩＣカード３０の書き込み領域３４に登録された券面データ等を読み出すカード内情報読み出し手段２５と、カード内情報読み出し手段２５によって読み出された券面データ等を表示する表示手段２２と、表示指示からの経過時間等を計測する時間計測手段２６と、この表示を制御する制御手段２４とを備えている。
【００１７】
マルチアプリＩＣカード３０のカード内アプリ情報管理カードアプリ３２は、全てのＩＣカードアプリ３５が共有できるインタフェースを有しており、各ＩＣカードアプリ３５は、カード内アプリ情報管理カードアプリ３２にアクセスして、携帯通信端末２０に読み出されるデータを登録することができる。
このカード内アプリ情報管理カードアプリ３２は、例えばＪａｖａ（登録商標）言語でカードアプリが作成されるＪａｖａ（登録商標）カードでは、Ｓｈａｒｅａｂｌｅ  Ｉｎｔｅｒｆａｃｅを利用して実現できる。ＩＣカードでは、複数のカードアプリが安全に共存できるようにファイアーウォールでカードアプリ間を隔離しているが、Ｓｈａｒｅａｂｌｅ  Ｉｎｔｅｒｆａｃｅは、ファイアーウォールに妨げられずにカードアプリにアクセスできるインタフェースである。
また、携帯通信端末２０のカード内情報読み出し手段２５も、カード内アプリ情報管理カードアプリ３２との相互認証に成功した後は、カード内アプリ情報管理カードアプリ３２に自由にアクセスすることができる。
【００１８】
ＩＣカードアプリ３５がカード内アプリ情報管理カードアプリ３２に対して登録（書き込み）を求めるデータやその登録時期は、各ＩＣカードアプリ３５において選択、設定することができ、各ＩＣカードアプリ３５は、マルチアプリＩＣカード３０へのインストール時や特定処理が行われた時など、任意のタイミングでデータを登録することができる。
カード内アプリ情報管理カードアプリ３２は、各ＩＣカードアプリ３５から書き込み要求されたデータを、ＩＣカードアプリ３５ごとにファイルを分けて書き込み領域３４に書き込む。図３は、このときの書き込み領域３４のデータ構造を例示している。ディレクトリ名を設定した書き込み領域３４の区分領域には、管理情報を記録した格納情報管理ファイルと、実データを記録したデータファイルとが格納されており、券面イメージのデータや、券面と共に表示される音声データが実データとして登録されている。
【００１９】
格納情報管理ファイルには、図４（ａ）（ｂ）に示すように、ＩＣカードアプリ３５のＩＤ（ＡＩＤ）やサービス名、券面イメージや再生音声のデータを指定する情報、データのバージョン番号、データの発行者名などが書き込まれる。また、図４（ｃ）に示すように、券面イメージデータの入手先を表すＵＲＬや、入手時の相互認証に使用する認証キーを格納情報管理ファイルに書き込むことも可能である。この情報を携帯通信端末２０が取得した場合は、携帯通信端末２０が入手先から券面イメージデータを得て、券面を表示することになる。
【００２０】
図５は、書き込み領域管理テーブル３３に記述される情報を例示しており、ＩＣカードアプリ３５のＡＩＤと、対応するディレクトリ名とが記述されている。
ＩＣカードアプリ３５は、カード内アプリ情報管理カードアプリ３２に対して、データの書き込みを求めることはできるが、他のＩＣカードアプリ３５が登録したデータにアクセスすることはできない。また、カード内アプリ情報管理カードアプリ３２は、同一のＩＣカードアプリ３５からデータの書き込み要求が再度有ったときは、先に登録したデータの上に新たなデータを上書き更新する。
一方、登録されているデータの削除は、サービスプロバイダのサーバからカード内アプリ情報管理カードアプリ３２に直接、削除要求があった場合に実行される。その他、ＩＣカードアプリ３５からカード内アプリ情報管理カードアプリ３２に削除要求を行うことも可能である。
【００２１】
図６は、書き込み領域３４へのデータの格納処理フローを示している。
カード内アプリ情報管理カードアプリ３２は、アクセスを求めるＩＣカードアプリ３５（またはサーバ）の要求種別を識別し（ステップ１）、ＩＣカードアプリ３５からの書き込み要求であるときは、書き込み領域管理テーブル３３を参照し、そのＩＣカードアプリ３５のＡＩＤに対応する区分領域が設定されているか否かを識別する（ステップ２）。設定されていないとき、即ち、新規書き込みの場合は、格納情報管理ファイルを新たに設けて、書き込み領域管理テーブル３３にＡＩＤとディレクトリ名との関係を記述し（ステップ３）、書き込み要求された各種データを格納情報管理ファイルやデータファイルに書き込む（ステップ４）。
【００２２】
また、ステップ２において、書き込み要求したＩＣカードアプリ３５のＡＩＤに対応するディレクトリ名が書き込み領域管理テーブル３３に記述されているときは、該当する区分領域に格納されているファイルのデータを書き込み要求に基づいて更新する（ステップ４）。
また、ステップ１において、要求種別がサーバからの削除要求であったときは、書き込み領域管理テーブル３３から該当箇所を削除し（ステップ５）、書き込み領域３４から該当する格納情報管理ファイルやデータファイル等の関係ファイルを削除し、ディレクトリも削除する（ステップ６）。
【００２３】
一方、携帯通信端末２０では、ユーザの表示指示を表示指示受付手段２３が受け付けると、制御手段２４がカード内情報読み出し手段２５にマルチアプリＩＣカード３０からの情報取得を指令し、カード内情報読み出し手段２５は、マルチアプリＩＣカード３０のカード内アプリ情報管理カードアプリ３２にアクセスして、相互認証を実施した後、書き込み領域３４の一つの区分領域に格納された一つのＩＣカードアプリ３５に対応するデータを取得する。
【００２４】
カード内情報読み出し手段２５とカード内アプリ情報管理カードアプリ３２との情報交換は、カード内情報読み出し手段２５がＩＳＯ／ＩＥＣ７８１６−４で規定されているＡＰＤＵ（Application Protocol Data Unit）の形式の「コマンド」を送り、カード内アプリ情報管理カードアプリ３２が「レスポンス」を返すことで行われる。
制御手段２４は、カード内情報読み出し手段２５が取得した情報を解釈し、表示手段２２を通じて券面イメージや音声のデータを表示する。
ユーザの表示指示が時間計測手段２６の計測する一定時間内に行われると、カード内情報読み出し手段２５は、書き込み領域３４の次の区分領域に格納されているデータを取得し、次のＩＣカードアプリ３５に対応する券面イメージや音声データが、表示手段２２を通じて表示される。
【００２５】
図７は、マルチアプリＩＣカード３０のサービス内容を、券面等で表示する際のシーケンス図を示している。なお、ここでは、携帯通信端末２０の表示指示受付手段２３、カード内情報読み出し手段２５及び制御手段２４をミドルウェアとして表示している。
サービスプロバイダは、マルチアプリＩＣカード３０にＩＣカードアプリ３５をインストールし、あるいは、サービス内容を表示する情報を更新する（１）。ＩＣカードアプリ３５は、予め規定されたタイミングでカード内アプリ情報管理カードアプリ３２にアクセスし、情報の登録または更新を行う（２）。なお、登録情報の削除は、サービスプロバイダがカード内アプリ情報管理カードアプリ３２にアクセスして行う。カード内アプリ情報管理カードアプリ３２は、格納情報をチェックする（３）。
【００２６】
一方、ユーザが携帯通信端末２０から券面等の情報表示を指示すると（４）、制御手段２４は、時間計測手段２６の提示している時刻を開始時刻として記録する（５）。カード内情報読み出し手段２５は、カード内アプリ情報管理カードアプリ３２を起動するコマンドを送り（６）、起動したカード内アプリ情報管理カードアプリ３２がレスポンスを返すと（７）、カード内情報読み出し手段２５は、カード内アプリ情報管理カードアプリ３２と相互認証を実施し（８）、認証に成功すると、カード内アプリ情報管理カードアプリ３２に情報取得コマンドを送る（９）。カード内アプリ情報管理カードアプリ３２は、書き込み領域３４の一つの区分領域に格納されたデータを読み出してカード内情報読み出し手段２５に送る（１０）。携帯通信端末２０の制御手段２４は、カード内情報読み出し手段２５が取得した情報を解釈し、この情報に含まれるＡＩＤを記録し、表示手段２２を通じて券面イメージや再生音声を表示する（１１）。
【００２７】
ユーザが再度、情報表示を指示すると（１２）、制御手段２４は、時間計測手段２６の計時時刻を取得して、開始時刻からの経過時間を検査し（１３）、予め定めた規定時間内であれば、カード内情報読み出し手段２５に、先に記録したＡＩＤを送り、その次のＩＣカードアプリ３５の情報取得を指示する。規定時間を超えていれば、ＩＣカードアプリ３５の指定はしない。カード内情報読み出し手段２５は、制御手段２４から得たＡＩＤを含む情報取得コマンドをカード内アプリ情報管理カードアプリ３２に送る（１４）。カード内アプリ情報管理カードアプリ３２は、書き込み領域管理テーブル３３を参照し、カード内情報読み出し手段２５から送られたＡＩＤの次に記載されているＡＩＤのディレクトリを確認し、書き込み領域３４の該当する領域に格納されたデータを読み出してカード内情報読み出し手段２５に送る（１５）。
【００２８】
携帯通信端末２０の制御手段２４は、カード内情報読み出し手段２５が取得した情報を解釈し、この情報に含まれるＡＩＤを記録し、表示手段２２を通じて券面イメージや再生音声を表示する（１６）。
ユーザが規定時間（例えば１０秒）内に情報表示の指示を行う度に、（１３）〜（１６）の処理が繰り返され、マルチアプリＩＣカード３０のサービス内容を表わす券面等の情報が順次表示される。
【００２９】
また、カード内アプリ情報管理カードアプリ３２が、カード内情報読み出し手段２５の最初の情報取得要求（９）に応じて、書き込み領域管理テーブル３３の情報を携帯通信端末２０に提供し、携帯通信端末２０の制御手段２４が、この情報に基づいて、以後、ユーザから情報表示を指示されたときに、表示対象のＩＣカードアプリ３５を指定するようにしてもよい。図８のフロー図は、この場合に、制御手段２４が表示対象のＩＣカードアプリ３５を確定する手順について示している。
制御手段２４は、時計計測手段２６から現在時刻を取得し（ステップ１０）、前回記録した開始時刻からの経過時間を算出し（ステップ１１）、現在時刻を、次の表示指示の経過時間を計測するための開始時刻として記録する（ステップ１２）。
ステップ１１で求めた経過時間が規定時間を超えているか否か判定し（ステップ１３）、規定時間内であれば、前回表示対象となったＡＩＤの記録を取得し（ステップ１４）、今回表示対象となるＡＩＤを確定する（ステップ１５）。
【００３０】
次いで、今回表示対象となるＡＩＤを、前回表示対象のＡＩＤとして記録し（ステップ１７）、今回表示対象となるＡＩＤの表示データを取得する（ステップ１８）。
また、ステップ１３において、経過時間が規定時間を超えているときは、今回表示対象となるＡＩＤを初期化（初期値に設定）し（ステップ１６）、今回表示対象となるＡＩＤを、前回表示対象のＡＩＤとして記録し（ステップ１７）、今回表示対象となるＡＩＤの表示データを取得する（ステップ１８）。
【００３１】
また、図９に示すように、携帯通信端末２０に加速度センサ２７を設けて、ユーザが携帯通信端末２０を振る度に、加速度センサ２７で感知し、ユーザの表示指示として受け付けるようにしても良い。
このように、本発明の携帯通信端末２０は、マルチアプリＩＣカード３０に格納された個々のＩＣカードアプリ３５との認証方法やアクセス方法を知らなくても、カード内アプリ情報管理カードアプリ３２にアクセスするだけで、各ＩＣカードアプリ３５がユーザへの提示を希望しているデータを取得することができる。
【００３２】
個々のＩＣカードアプリ３５の多くは、セキュリティ上の観点から、認証方法やアクセス方法を公開していない。そのため、携帯通信端末２０が個々のＩＣカードアプリ３５にアクセスして情報を取得することは、困難であり、また、ＩＣカードアプリの側から見ると、携帯通信端末２０への情報提供により安全性が脅かされる。
しかし、本発明では、全てのＩＣカードアプリ３５が共有できるインタフェースを備えたカード内アプリ情報管理カードアプリ３２をマルチアプリＩＣカード３０に設け、提示用データの格納手段として機能させているため、各ＩＣカードアプリ３５は、携帯通信端末２０に提示したいデータを安全に提供することができ、また、携帯通信端末２０は、各ＩＣカードアプリ３５の提示データを効率的に取得することができる。
【００３３】
また、各ＩＣカードアプリ３５は、データ提供の安全性が確保されているため、券面イメージのデータだけでなく、サービスのブランドを表すサウンドの再生指示データやＬＥＤの点灯指示データ、バイブレーションの動作指示データなど、各種のデータを気兼ねなく提供することができる。その結果、携帯通信端末２０に券面イメージを表示した時に、ブランドのサウンドが再生されたり、ＬＥＤやバイブレーション等が動作を始めたりして、サービスのアピール方法が多様化され、マルチアプリＩＣカード３０に含まれるサービスをユーザに分かり易く示すことができる。
【００３４】
なお、携帯通信端末２０に提示する券面イメージは、カードの表面の意匠だけでなく、裏面のイメージを提示するようにしても良い。
また、書き込み領域３４にデータを登録する際の格納情報管理ファイルのフォーマットは、規定してもよいし、ＸＭＬのような汎用的なフォーマットを使用しても良い。
また、マルチアプリＩＣカード３０に含まれる各サービスの券面イメージをユーザの指示により順次表示してもよいし、一度にタイル状に並べて画面に表示しても良い。
【産業上の利用可能性】
【００３５】
本発明の情報処理装置は、携帯電話やＰＨＳ（Personal Handy-phone System）、ＰＤＡ等の各種装置に広く適用することができ、また、本発明のセキュアデバイスは、カード状やチップ状等、各種の形状に成形して、これらの装置に装着したり、埋め込んだりして利用することが可能である。
【図面の簡単な説明】
【００３６】
【図１】本発明の実施形態における携帯通信端末及びマルチアプリＩＣカードの構成を示すブロック図
【図２】本発明の実施形態における携帯通信端末での券面表示状態を示す模式図
【図３】本発明の実施形態におけるマルチアプリＩＣカードの書き込み領域のデータ構造を示す図
【図４】本発明の実施形態における格納情報管理ファイルのフォーマットを示す図
【図５】本発明の実施形態における書き込み領域管理テーブルのデータ構造を示す図
【図６】本発明の実施形態におけるマルチアプリＩＣカードの書き込み領域に格納する情報の管理フローを示す図
【図７】本発明の実施形態における携帯通信端末及びマルチアプリＩＣカードの表示指示に伴うシーケンス図
【図８】本発明の実施形態における携帯通信端末の表示対象決定手順を示すフロー図
【図９】本発明の実施形態における携帯通信端末の加速度センサを有する構成を示すブロック図
【図１０】マルチアプリＩＣカードのカードメニューを説明する図
【符号の説明】
【００３７】
２０  携帯通信端末
２１  表示画面
２２  表示手段
２３  表示指示受付手段
２４  制御手段
２５  カード内情報読み出し手段
２６  時間計測手段
２７  加速度センサ
３０  マルチアプリＩＣカード
３１  券面
３２  カード内アプリ情報管理カードアプリ
３３  書き込み領域管理テーブル
３４  書き込み領域
３５  ＩＣカードアプリ
【図１】
2005346611.tif 000003
【図２】
2005346611.tif 000004
【図３】
2005346611.tif 000005
【図４】
2005346611.tif 000006
【図５】
2005346611.tif 000007
【図６】
2005346611.tif 000008
【図７】
2005346611.tif 000009
【図８】
2005346611.tif 000010
【図９】
2005346611.tif 000011
【図１０】
2005346611.tif 000012